【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
第１の携帯装置から遠隔操作により車両の車載装置を操作可能な遠隔操作装置において、
前記第１の携帯装置が車内にあるか否かを判定する携帯装置判定手段と、
前記車両の利用者と前記車両との距離が所定値以上か否かを判定する距離判定手段と、を有し、
前記携帯装置判定手段により前記第１の携帯装置が車内にあると判定された場合であって、前記距離判定手段により前記利用者と前記車両との距離が所定値以上離れていると判定された場合、遠隔地から車載装置の操作が可能な第２の携帯装置による該車載装置の操作を許可する、
ことを特徴とする遠隔操作装置。
【請求項２】
前記車両に乗員がいるか否かを判定する乗員判定手段を有し、
前記乗員判定手段により車内に乗員がいないと判定された場合、前記第２の携帯装置により前記車載装置の操作を許可する、
ことを特徴とする請求項１記載の遠隔操作装置。
【請求項３】
前記距離判定手段は、前記利用者が携帯する前記第２の携帯装置と前記車両との距離に基づき、前記利用者と前記車両との距離が所定値以上か否かを判定する、
ことを特徴とする請求項１又は２記載の遠隔操作装置。
【請求項４】
第１の携帯装置から遠隔操作により車両の車載装置を操作可能な遠隔操作装置において、
前記第１の携帯装置が車内にあるか否かを判定する携帯装置判定手段と、
前記車両の利用者と前記車両との距離が所定値以上か否かを判定する距離判定手段と、を有し、
前記携帯装置判定手段により前記第１の携帯装置が車内にあると判定された場合であって、
前記距離判定手段により前記利用者と前記車両との距離が所定値以上離れていると判定された場合、第２の携帯装置に所定の信号を送信する、
ことを特徴とする遠隔操作装置。
【請求項５】
前記携帯装置判定手段により前記第１の携帯装置が車内にあると判定された場合であって、
前記距離判定手段により前記利用者と前記車両との距離が所定値以上離れていると判定された場合、
前記第１の携帯装置による車載装置の操作を制限し、遠隔地から前記車載装置の操作が可能な第２の携帯装置による前記車載装置の操作を許可する、
ことを特徴とする請求項４記載の遠隔操作装置。
【請求項６】
前記距離判定手段は、前記利用者が携帯する前記第２の携帯装置と前記車両との距離に基づき、前記利用者と前記車両との距離が所定値以上か否かを判定する、
ことを特徴とする請求項５記載の遠隔操作装置。
【請求項７】
前記第１の携帯装置は固有のＩＤコードを記憶しており、前記ＩＤコードを発信する発信部を有する、
ことを特徴とする請求項１又は４記載の遠隔操作装置。
【請求項８】
前記第２の携帯装置は、携帯電話である、
ことを特徴とする請求項１又は４記載の遠隔操作装置。
【請求項９】
第１の携帯装置から遠隔操作により車両の車載装置を操作可能な遠隔操作装置の制御方法において、
携帯装置判定手段が、前記第１の携帯装置が車内にあるか否かを判定する車内有無判定ステップと、
距離判定手段が、前記車両の利用者と前記車両との距離が所定値以上か否かを判定する離間判定ステップと、
前記車内有無判定ステップにより、前記第１の携帯装置が車内にあると判定された場合であって、前記離間判定ステップにより前記利用者と前記車両との距離が所定値以上離れていると判定された場合、遠隔地から車載装置の操作が可能な第２の携帯装置による該車載装置の操作を許可する操作許可ステップと、を有する、
ことを特徴とする遠隔操作装置の制御方法。
【請求項１０】
第１の携帯装置から遠隔操作により車両の車載装置を操作可能な遠隔操作装置の制御方法において、
携帯装置判定手段が、前記第１の携帯装置が車内にあるか否かを判定する車内有無判定ステップと、
距離判定手段が、前記車両の利用者と前記車両との距離が所定値以上か否かを判定する離間判定ステップと、
前記車内有無判定ステップにより前記第１の携帯装置が車内にあると判定された場合であって、前記離間判定ステップにより前記利用者と前記車両との距離が所定値以上離れていると判定された場合、第２の携帯装置に所定の信号を送信する信号送信ステップと、を有する、
ことを特徴とする遠隔操作装置の制御方法。
【請求項１１】
遠隔操作により車両の車載装置を操作可能な第１の携帯装置と、前記車載装置を制御する遠隔操作装置と、を有する遠隔操作システムにおいて、
前記遠隔操作装置は、
前記第１の携帯装置が車内にあるか否かを判定する携帯装置判定手段と、
前記車両の利用者と前記車両との距離が所定値以上か否かを判定する距離判定手段と、を有し、
前記携帯装置判定手段により前記第１の携帯装置が車内にあると判定された場合であって、前記距離判定手段により前記利用者と前記車両との距離が所定値以上離れていると判定された場合、遠隔地から車載装置の操作が可能な第２の携帯装置による該車載装置の操作を許可する、
ことを特徴とする遠隔操作システム。
【請求項１２】
遠隔操作により車両の車載装置を操作可能な第１の携帯装置と、前記車載装置を制御する遠隔操作装置と、を有する遠隔操作システムにおいて、
前記遠隔操作装置は、
前記第１の携帯装置が車内にあるか否かを判定する携帯装置判定手段と、
前記車両の利用者と前記車両との距離が所定値以上か否かを判定する距離判定手段と、を有し、
前記携帯装置判定手段により第１の携帯装置が車内にあると判定された場合であって、
前記距離判定手段により前記利用者と前記車両との距離が所定値以上離れていると判定された場合、第２の携帯装置に所定の信号を送信する、
ことを特徴とする遠隔操作システム。
【手続補正２】
【補正対象書類名】明細書
【補正対象項目名】発明の名称
【補正方法】変更
【補正の内容】
【発明の名称】遠隔操作装置、遠隔操作装置の制御方法、遠隔操作システム
【手続補正３】
【補正対象書類名】明細書
【補正対象項目名】０００８
【補正方法】変更
【補正の内容】
【０００８】
上記問題を解決するため、本発明は、第１の携帯装置（例えば、携帯装置１８）から遠隔操作により車両の車載装置を操作可能な遠隔操作装置において、第１の携帯装置が車内にあるか否かを判定する携帯装置判定手段（例えば、キーレスエントリ装置１８）と、車両の利用者と車両との距離が所定値以上か否かを判定する距離判定手段と、を有し、携帯装置判定手段により第１の携帯装置が車内にあると判定された場合であって、距離判定手段により利用者と車両との距離が所定値以上離れていると判定された場合、遠隔地から車載装置の操作が可能な第２の携帯装置（例えば、携帯装置１１）による該車載装置の操作を許可する、ことを特徴とする。
【手続補正４】
【補正対象書類名】明細書
【補正対象項目名】００１２
【補正方法】変更
【補正の内容】
【００１２】
また、本発明の遠隔操作装置の一形態において、距離判定手段は、利用者が携帯する第２の携帯装置と車両との距離に基づき、利用者と車両との距離が所定値以上か否かを判定する、ことを特徴とする。
【手続補正５】
【補正対象書類名】明細書
【補正対象項目名】００１４
【補正方法】変更
【補正の内容】
【００１４】
また、本発明は、第１の携帯装置から遠隔操作により車両の車載装置を操作可能な遠隔操作装置において、第１の携帯装置が車内にあるか否かを判定する携帯装置判定手段と、車両の利用者と車両との距離が所定値以上か否かを判定する距離判定手段と、を有し、携帯装置判定手段により第１の携帯装置が車内にあると判定された場合であって、距離判定手段により利用者と車両との距離が所定値以上離れていると判定された場合、第２の携帯装置に所定の信号を送信する、ことを特徴とする。
【手続補正６】
【補正対象書類名】明細書
【補正対象項目名】００１６
【補正方法】変更
【補正の内容】
【００１６】
また、本発明の遠隔操作装置の一形態において、携帯装置判定手段により第１の携帯装置が車内にあると判定された場合であって、距離判定手段により利用者と車両との距離が所定値以上離れていると判定された場合、第１の携帯装置による車載装置の操作を制限し、遠隔地から車載装置の操作が可能な第２の携帯装置による車載装置の操作を許可する、ことを特徴とする。
【手続補正７】
【補正対象書類名】明細書
【補正対象項目名】００１８
【補正方法】変更
【補正の内容】
【００１８】
また、本発明の遠隔操作装置の一形態において、距離判定手段は、利用者が携帯する第２の携帯装置と車両との距離に基づき、利用者と車両との距離が所定値以上か否かを判定する、ことを特徴とする。